(57)【要約】【課題】環境を汚染することなく、且つ発電源を把握できる燃料無用の動力装置を提供する。      【解決手段】燃料無用の動力装置は、二個の滑動塊を天秤棒両側に設置し、天秤棒上もしくは下方にそれぞれ弾性回復構造を設置する。二本の牽引桿二端にはそれぞれ滑動塊及び振子体の振子桿を相互枢設する。振子桿が動くと、二本の牽引桿に対してそれぞれ押圧力推及び牽引力を形成し、滑動塊を横移動させ、同時に天秤棒で上方もしくは下方の弾性回復構造を押圧し、弾性回復構造の回復力及び振子体の重力で、天秤棒を往復運動させて上下に動かし、且つ一連接結構でその動力をエネルギー収集装置に送って、エネルギーを生産する。【選択図】図１
0003129043.tif 000002
【実用新案登録請求の範囲】
【請求項１】
燃料無用の動力装置は、
主に支点を具える天秤棒と、
天秤棒両側に設置した二個の滑動塊と、
相互に連接した振子桿及び錘物体を具える振子体と、
一端は滑動塊と枢設し、別端は振子桿上に設置する二本の牽引桿と、
天秤棒の両側の上方もしくは下方に各々設置する二つの弾性回復構造から構成することを特徴とする燃料無用の動力装置。
【請求項２】
前記振子桿は、支点を具え、その支点箇所は、振子桿と二本の牽引桿の枢設箇所より高いか、もしくは低いことを特徴とする請求項１記載の燃料無用の動力装置。
【請求項３】
前記動力装置は、別に連接結構を設置し、天秤棒が上下に動いて発生した動力をエネルギー収集装置へ伝達することを特徴とする請求項１記載の燃料無用の動力装置。
【請求項４】
前記連接結構は、少なくとも
一側は天秤棒一側の下方に設置し、別側は支点を越えて天秤棒の別側の下方に設置するラックと、
同軸回転する第一大ギア及び第一小ギアを設置し、第一小ギアはラックと相互に噛み合う第一伝動車輪ユニットと、
同軸回転する第二大ギア及び第二小ギアを設置し、第二小ギアは第一伝動車輪ユニットの第一大ギアと相互に噛み合う第二伝動車輪ユニットと、
同軸回転する第三大ギア及び第三小ギアを設置し、第三小ギアはラックと相互に噛み合い、また第三大ギアは第一大ギアと相互に噛み合う第三伝動車輪ユニットを含むことを特徴とする請求項３記載の燃料無用の動力装置。
【請求項５】
前記第一、三小ギアは、単方向ギアとすることを特徴とする請求項４記載の燃料無用の動力装置。
【請求項６】
前記エネルギー収集装置は、少なくとも伝動装置を含み、その伝動装置は第二伝動車輪ユニットの第二大ギアと相互に噛み合うことを特徴とする請求項３記載の燃料無用の動力装置。
【請求項７】
前記連接結構は、更に少なくとも第四伝動車輪ユニットを含み、その第四伝動車輪ユニットは同軸回転する第四大フライホイール及び第四小ギアを設置し、第四小ギアは第二大ギアと相互に噛み合うことを特徴とする請求項３記載の燃料無用の動力装置。
【考案の詳細な説明】
【技術分野】
【０００１】
本考案は、燃料無用の動力装置に関するもので、二個の滑動塊が左右横移動する動作によって、天秤棒の力のモーメントを変更し、同時に弾性回復構造の回復力で天秤棒の上下運動を押さえて動力を生み出すものである。
【背景技術】
【０００２】
長年、我々は電気の供給を大型の発電所からの供給に拠っている。その発電源は主に火力及び原子力等天然資源で、発電の動力としている。現在、環境保護の呼びかけや石油危機等の影響により、自然界の力に依る発電方式、例として水平軸式の大型風力発電、太陽エネルギー発電、地熱発電、潮汐発電、水力発電等の研究が開始されている。しかしながら、以上の各種発電方式はすべて自然環境条件の制限を受けるか、もしくはコストの関係から普及することができない。
【０００３】
上述の天然資源に依る発電の動力、もしくは自然界の力に依る発電動力は長所を具えているものの、下述の短所もある。
【考案の開示】
【考案が解決しようとする課題】
【０００４】
解決しようとする問題点は、下述の点である。
１、天然資源を発電の動力源とする場合、天然資源は無尽蔵ではなく、使えばなくなり、人々が大量に採掘すれば、いつかは使い果たす日がやってくる。また原子力エネルギーもしくは火力発電方式は莫大なコストを使い、更に環境を汚染するため、改善の必要がある。
２、自然界の力を発電の動力源とする場合、上述の欠点は改善されるものの、天然資源は把握しにくく、人々はいつ台風が来るのか、いつ河川が枯れるのか予測できない。一端、無風、無水となれば、その発電機能は喪失する。
【課題を解決するための手段】
【０００５】
本考案は、二個の滑動塊を天秤棒両側に設置し、天秤棒上もしくは下方にそれぞれ弾性回復構造を設置する。二本の牽引桿二端にはそれぞれ滑動塊及び振子体の振子桿を相互枢設する。振子桿が動くと、二本の牽引桿に対してそれぞれ押圧力及び牽引力を形成し、滑動塊を横移動させ、同時に天秤棒で上方もしくは下方の弾性回復構造を押圧し、弾性回復構造の回復力及び振子体の重力で、天秤棒を往復運動させて上下に動かし、且つ連接結構でその動力をエネルギー収集装置に送って、エネルギーを生産することを最も主要な特徴とする。
【考案の効果】
【０００６】
本考案の燃料無用の動力装置は、環境を汚染することなく、且つ発電源を把握できるという利点がある。
【考案を実施するための最良の形態】
【０００７】
本考案は、二個の滑動塊を左右横移動させて天秤棒の力のモーメントを変え、同時に弾性回復構造の回復力及び振子体の重力で、天秤棒を押して上下に動かし、動力を生産する燃料無用の動力装置を提供する。
【０００８】
本考案「燃料無用の動力装置」は、少なくとも一天秤棒、二個の滑動塊、二本の牽引桿、振子体及び二つの弾性回復構造を含む。その天秤棒には中心支点を設置し、天秤棒両側には二個の滑動塊を設置し、上方もしくは下方には各々弾性回復構造を設置する。その一端には滑動塊を枢設し、二本の牽引桿別端は振子体の振子桿上に枢設する。錘物体が振子桿を動かした時、その振子桿は両側の牽引桿に対してそれぞれ押圧力及び牽引力を形成し、滑動塊を傾斜した一側へ横移動させ、天秤棒の力のモーメントを変え、同時に天秤棒で上方もしくは下方の弾性回復構造を押圧し、弾性回復構造の回復力及び振子体の重力で天秤棒を反復運動させ、天秤棒を上下に動かす。そして連接結構によってその動力をエネルギー収集装置に送り、エネルギーを生産することを目的とする。
【実施例１】
【０００９】
本考案の「燃料無用の動力装置」の動力装置１全体結構は、第１図に示すとおり、少なくとも以下を含む。
【００１０】
天秤棒１１は、中心支点１１１を具え、その天秤棒１１の両側には二個の滑動塊１２を設置する。また天秤棒１１両側の下側には各々錘積載物体１３を設置し、且つ天秤棒１１両側の下方には押止部品１１２をそれぞれ設置する。
【００１１】
二個の滑動塊１２は、天秤棒１１の両側に設置し、その二個の滑動塊１２の間には各々牽引桿１５と振子体１４に連接する。また二個の滑動塊１２外側には弾性部品１８を設置して、二個の滑動塊１２を押さえ、弾性部品１８が天秤棒１１上で定位する。
【００１２】
二本の牽引桿１５の一端は、滑動塊１２と共にベアリング(図示せず)で枢設し、別端はベアリング(図示せず)で振子体１４上に枢設する。
【００１３】
振子体１４は、相互に連接する振子桿１４１及び錘物体１４２を具え、その振子桿１４１の適する位置両側には二本の牽引桿１５を枢設する。この振子桿１４１は、支点１４３を具え、その支点１４３は振子桿１４１と二本の牽引桿１５の枢設箇所より低く、図実施例中に示すとおり、その支点１４３は、天秤棒１１の中心支点１１１箇所に位置する。
【００１４】
二つの弾性回復構造１７は、天秤棒１１両側に同時もしくは別々に天秤棒１１の上方もしくは下方に設置する。図に示すとおり、実施例では天秤棒１１両側の下方に設置する。また弾性回復構造１７はゴム、バネ、バネ片、もしくは空気シリンダーもしくは油圧シリンダー等の弾性物質で、且つ弾性回復構造１７は天秤棒１１両側との距離を調整できる。本実施例に於ける弾性回復構造１７は、バネ１７１及びバネ片１７２を含む。
【００１５】
具体的な実施の時、第２図に示すとおり、先ず振子桿１４１を右方向に引き、錘物体１４２を右側へ傾斜させると、その振子桿１４１は、左、右側の牽引桿１５に対して各々押圧力及び牽引力を形成し、両側の滑動塊１２を左側へ移動させ、天秤棒１１の力のモーメントを変えて天秤棒１１を左側へ傾斜させ、下へ動かす。また天秤棒１１が左側の下方向へ傾斜して最低点へ至ると、その天秤棒１１が下方の弾性回復構造１７(バネ１７１)を押圧し、且つ押止部品１１２もまた同時に弾性回復構造１７(バネ片１７２)を押す。弾性回復構造１７が徐々に圧縮状態を形成し、更に左側の滑動塊１２が外側の弾性部品１８を押し、弾性部品１８が次第に圧縮状態を形成する。
【００１６】
左側の滑動塊１２を天秤棒１１左側が下へ傾斜して最低点になり、且つ振子体１４が右側へ動いて最高点になると、その滑動塊１２が弾性部品１８を押圧して蓄えられた回復力が滑動塊１２を反対方向に移動させる。更に天秤棒１１下方が弾性回復構造１７を押して蓄えた回復力は天秤棒１１を反対方向に動かす(同じく右方向に動かす)。また振子体１４の重力が同時に振子桿１４１及び天秤棒１１を反対方向に傾斜させ、天秤棒１１を右側へ傾斜させて下へ動かす。反対に天秤棒１１右側が下へ傾斜して最低点に達すると、右側の滑動塊１２が外側の弾性部品１８を押し、且つ天秤棒１１が下方の弾性回復構造１７を押し、同じく弾性部品１８、弾性回復構造１７の回復力以及び振子体１４の重力によって天秤棒１１を反対方向に動かす。
【００１７】
上述からわかることは、振子体１４が任意の方向に動くと、滑動塊１２が別側へ横移動して天秤棒１１の力のモーメントを変更し、天秤棒１１を別側へ動かす。更に滑動塊１２が外側の弾性部品１８を押し、また天秤棒１１が弾性回復構造１７を押し、振子体１４が最高点に達し、且つ天秤棒１１が最低点に至る時、この弾性部品１８及び弾性回復構造１７が蓄えた回復力、及び振子体１４の重力によって、天秤棒１１を反対方向に動かし、天秤棒１１を止まらずに上下運動させる。
【実施例２】
【００１８】
更にこの動力装置１の一側面には、連接結構２を設置し、天秤棒１１が上下運動する動力をエネルギー収集装置３へ伝達する。第３図及び第４図に示すとおり、この連接結構２は少なくとも下述を含む。
【００１９】
少なくとも一つラック２１は図に示すとおりで、ラック２１は半円形ラックの結構とする。そのラック２１の片側は、天秤棒１１片側の下方に設置し、ラック２１の別側は、中心支点１１１を越えて天秤棒１１別側の下方に設置する。
第一伝動車輪ユニット２２は、同軸回転する第一大、小ギア２２１、２２２を設置する。その第一小ギア２２２は、ラック２１と相互に噛み合い、その第一小ギア２２２は単方向ギアである。
第二伝動車輪ユニット２３は、同軸回転する第二大、小ギア２３１、２３２を設置し、その第二小ギア２３２は第一伝動車輪ユニット２２の第一大ギア２２１と相互に噛み合う。
第三伝動車輪ユニット２４は、同軸回転する第三大、小ギア２４１、２４２を設置し、その第三小ギア２４２はラック２１と相互に噛み合い、且つ第三大ギア２４１は第一伝動車輪ユニット２２の第一大ギア２２１と相互に噛み合う。また第三小ギア２４２は単方向ギアとする。
【００２０】
エネルギー収集装置３は、発電装置とし、少なくとも第二伝動車輪ユニット２３の第二大ギア２３１と相互に噛み合う伝動装置３１を含む。この伝動装置は伝動軸としてもよい。
【００２１】
具体的に実施する場合、天秤棒１１が上下に動いた時、第５図(A)に示すとおり、この天秤棒１１左側が下へ動くと、同時に天秤棒１１下方のラック２１も動く。ラック２１が先ず、第一小ギア２２２を動かして回転し、第三小ギア２４２は単方向ギアなので空転する。同時に第一小ギア２２２と同軸の第一大ギア２２１が同軸回転する。また第一大ギア２２１は第二小ギア２３２及び第三大ギア２４１をそれぞれ回転させ、同時に第二小ギア２３２と同軸の第二大ギア２３１を同軸回転させ、第二大ギア２３１が伝動装置３１を回転させる。
【００２２】
第５図(B)に示すとおり、天秤棒１１右側が下へ動くと同時に、天秤棒１１下方のラック２１が動く。そしてラック２１が先ず第三小ギア２４２を動かして回転し、第一小ギア２２２は単方向ギアなので空転する。同時に第三小ギア２４２と同軸の第三大ギア２４１が同軸回転する。また第三大ギア２４１が第一大ギア２２１を動かして回転し、第一大ギア２２１は第二小ギア２３２を動かして回転する。同時に第二小ギア２３２と同軸の第二大ギア２３１が同軸回転する。更に第二大ギア２３１が伝動装置３１を動かして回転し、エネルギー収集装置結構３を駆動して動かす。
【実施例３】
【００２３】
他に、振子桿１４１の適する位置に帯動部品１４４を設置する。第６図に示すとおり、使用者がこの帯動部品１４４を動かすことによって、振子体１４を一側に動かし、更に天秤棒１１を上述の動作によって止まることなく上下運動させ、連接結構２によって動かした動力をエネルギー収集装置３に伝達する。
【００２４】
更にこの連接結構２は少なくとも第四伝動車輪ユニット２５に設置する。第７図に示すとおり、第四伝動車輪ユニット２５には同軸回転する第四大フライホイール２５１及び第四小ギア２５２を設置し、その第四小ギア２５２は第二大ギア２３１と相互に噛み合い、第二大ギア２３１で第四小ギア２５２を動かして回転させ、第四大フライホイール２５１を同軸回転させる。更にエネルギー収集装置３にはクラッチ３２を設置し、そのクラッチ３２が伝動装置３１を空転させるかどうかをコントロールする。実施時、上述のとおり、天秤棒１１を上下に動かすと、ラック２１が第一小ギア２２２もしくは第三小ギア２４２を動かして回転させ、続いて第二小ギア２３２を回転させ続け、同時に第二大ギア２３１を同軸回転させる。更に第二大ギア２３１が同時に伝動装置３１及び第四小ギア２５２を動かして回転させる。但し、この時に天秤棒１１が上下に動き始めても蓄えたエネルギーが不足しているため、エネルギー収集装置３のクラッチ３２が伝動装置３１を制御して空転させ、蓄えたエネルギーが十分になった時(第四小ギア２５２が動かした第四大フライホイール２５１の回転速率で知ることができる)、クラッチ３２が伝動装置３１を確実に回転させ、動力をエネルギー収集装置結構３に伝達して生産した動力を運ぶ。
【実施例４】
【００２５】
他に動力装置１は第８図に示すとおり、同じく少なくとも一天秤棒１１、二個の滑動塊１２、二本の牽引桿１５、振子体１４及び二つの弾性回復構造１５を含む。この天秤棒には一中心支点１１１を設置し、また天秤棒１１両側には二個の滑動塊１２を設置し、下方には各々弾性回復構造１７を設置する。二個の滑動塊１２外側には弾性部品１８を設置し、二本の牽引桿１５一端は滑動塊１２と枢設し、別端は振子体１４の振子桿１４１上に枢設する。この振子桿１４１は一支点１４３を具え、図実施例中に示すとおり、その支点１４３箇所は振子桿１４１と二本の牽引桿１５の枢設箇所より高い。
【００２６】
具体的な実施時、第９図(A)、(B)に示すとおり、先ず右へ振子桿１４１を引いて錘物体１４２を右側へ傾斜させると、その振子桿１４１が左、右の牽引桿１５に対してそれぞれ牽引力及び押圧力を形成し、両側の滑動塊１２を右側へ移動して外側の弾性部品１８を押さえ、天秤棒１１の力のモーメントを変え、且つ錘物体１４２も右へ傾斜して重力を形成し、滑動塊１２及び錘物体１４２の重力が加わり、天秤棒１１が右側へ傾斜して下へ動く。そして天秤棒１１右側が徐々に下へ傾斜して最低点に達する。その滑動塊１２は外側の弾性部品１８を押さえ、天秤棒１１が下方の弾性回復構造１７(バネ１７１)を押さえて弾性部品１８及び弾性回復構造１７を徐々に圧縮する。
【００２７】
右側の滑動塊１２が天秤棒１１右側を下へ傾斜させて最低点に達し、且つ振子体１４が右側へ動いて最高点に達した時、滑動塊１２が押圧した弾性部品１８に蓄積した回復力は、滑動塊１２を反対方向へ移動させ、更に天秤棒１１下方が弾性回復構造１７を押圧して蓄積した回復力が天秤棒１１を反対方向へ移動させ(左側へ動く)、振子体１４の重力が同時に振子桿１４１を反対方向へ傾斜させ、天秤棒１１を左側へ傾斜させて下へ動かす。反対に天秤棒１１左側が下へ傾斜して最低点へ達した時，その左側の滑動塊１２が外側の弾性部品１８を押し、且つ天秤棒１１が下方の弾性回復構造１７を押圧する。続いて弾性部品１８、弾性回復構造１７の回復力及び振子体１４の重力により、天秤棒１１を反対方向に動かす。
【００２８】
上述の動作により、振子体１４が任意の一側へ動いた時、滑動塊１２も同じ一側に横移動し、また天秤棒１１の力のモーメントを変え、天秤棒１１を同一側へ移動させる。更に滑動塊１２が外側の弾性部品１８を押圧し、天秤棒１１が弾性回復構造１７を押圧する。そして振子体１４が最高点に達し、且つ天秤棒１１が最低点に達した時、この弾性部品１８及び弾性回復構造１７が蓄積した回復力と、振子体１４の重力が使天秤棒１１を反対方向に動かし、天秤棒１１を止まることなく上下に移動させ、一連接結構２により、その動力をエネルギー収集装置３に伝達し、第８図に示すとおり、エネルギーを生産する。
【実施例５】
【００２９】
当然この動力装置１は第１０図に示すとおりでもよく、その動力装置は少なくとも天秤棒１１、二個の滑動塊１２、二本の牽引桿１５、振子体１４及び二つの弾性回復構造１７を含む。天秤棒１１は中心支点１１１を設置し、また天秤棒１１両側には二個の滑動塊１２を設置し、下方には弾性回復構造１７を各々設置する。この二個の滑動塊１２外側には弾性部品１８を設置して、それが二個の滑動塊１２を押圧する。二本の牽引桿１５一端は滑動塊１２と枢設し、別端一柱体１６上に枢設する。振子体１４は相互に連接する振子桿１４１及び錘物体１４２を具え、その振子桿１４１は一支点１４３を具え、上述の柱体１６一側は支点１４３と枢設する。図実施例中に示すとおり、その支点１４３箇所は柱体１６と二本の牽引桿１５の枢設箇所より高いので、振子桿１４１が動いた時、柱体１６が両側の二本の牽引桿１５に対して押圧力及び牽引力を形成し、滑動塊１２を天秤棒１１上で横移動させる。
【００３０】
本考案は下述の点を長所とする。
１、本考案は国家の自然資源に対する過分の依存を防止、もしくは減少させる。本考案の燃料無用の動力装置により、従来の機械動力の硬化を打破し、自然資源の破壊を最低に下げる。
２石炭、石油が発する排気を減らし、環境を保護する。
工業、自動車等で大量に使用する石炭、石油等のエネルギー源である燃料は、燃焼時に発生する各種粉塵及び排気ガスにより、空気の汚染が著しく、オゾン層の破壊もある。
３、工業、国防、交通、電力等が石油、石炭等をエネルギー源としている依頼を変える。
４、国家石油先約のための貯蔵の緊張程度を緩和する。
５、国防軍事力装備に対して変革をする。
６、国の電力依存の局面を緩和する。
７、各種交通手段に燃料を使用する必要がなく、ガソリン、石炭を必要としない。
【００３１】
上述に示すとおり、本考案は燃料無用の動力装置を提供し、実用新案を申請する。以上の実施説明及び図式に示すのは本考案の実施例の一つにすぎず、本考案を制限するものではなく、本考案の構造、装置、特徴等が近似、雷同する者はすべて本考案の目的及び申請の範囲内とする。
【図面の簡単な説明】
【００３２】
【図１】本考案の動力装置の第一実施例の結構示意図である。
【図２】本考案の第一実施例の天秤棒が上下に動く状態示意図。
【図３】本考案の動力装置の第二実施例の結構示意図である。
【図４】本考案の動力装置の第二実施例の部分結構示意図である。
【図５Ａ】本考案の第二実施例の天秤棒が上下動く状態示意図である。
【図５Ｂ】本考案の第二実施例の天秤棒が上下動く状態示意図である。
【図６】本考案の動力装置の第三実施例の結構示意図である。
【図７】本考案の動力装置の第三実施例の結構示意図である。
【図８】本考案の動力装置の第四実施例の結構示意図である。
【図９Ａ】本考案の第四実施例の天秤棒が上下動く状態示意図である。
【図９Ｂ】本考案の第四実施例の天秤棒が上下動く状態示意図である。
【図１０】本考案の動力装置の第五実施例の結構示意図である。
【符号の説明】
【００３３】
１      動力装置
１１      天秤棒
１１１      中心支点
１１２      押止部品
１２      滑動塊
１３      錘積載物体
１４      振子体
１４１      振子桿
１４２      錘物体
１４３      支点
１４４      帯動部品
１５      牽引桿
１６      柱体
１７      弾性回復構造
１８      弾性部品
２      連接結構
２１      ラック
２２      第一伝動車輪ユニット
２２１      第一大ギア
２２２      第一小ギア
２３      第二伝動車輪ユニット
２３１      第二大ギア
２３２      第二小ギア
２４      第三伝動車輪ユニット
２４１      第三大ギア
２４２      第三小ギア
２５      第四伝動車輪ユニット
２５１      第四大フライホイール
２５２      第四小ギア
３      エネルギー収集装置
３１      伝動装置
３２      クラッチ
【図１】
0003129043.tif 000003
【図２】
0003129043.tif 000004
【図３】
0003129043.tif 000005
【図４】
0003129043.tif 000006
【図５Ａ】
0003129043.tif 000007
【図５Ｂ】
0003129043.tif 000008
【図６】
0003129043.tif 000009
【図７】
0003129043.tif 000010
【図８】
0003129043.tif 000011
【図９Ａ】
0003129043.tif 000012
【図９Ｂ】
0003129043.tif 000013
【図１０】
0003129043.tif 000014